(57)【特許請求の範囲】
【請求項１】
記録媒体を収納したカートリッジを挿抜可能に保持するカートリッジホルダと、
弾性板により形成され、キースイッチを操作する操作キー板と、
上記カートリッジホルダに対して上記カートリッジを挿抜する本体のカートリッジ挿入口を開閉する蓋板とを具備し、
上記操作キー板に上記蓋板に対向して突片部を一体に突出形成し、
該突片部を上記蓋板に当接させて上記蓋板を閉塞方向に付勢するようにしたことを特徴とする再生装置。
【請求項２】
上記操作キー板に上記蓋板のほぼ中央部に対向して突片部を一体に突出形成し、
上記蓋板の中央部寄りに当接させて上記蓋板を閉塞方向に付勢するようにしたことを特徴とする請求項１に記載の再生装置。
【請求項３】
上記操作キー板に上記蓋板の両側部に対向して突片部を一体に突出形成し、上記蓋板の両側面部に当接させて上記蓋板を閉塞方向に付勢するようにしたことを特徴とする請求項１に記載の再生装置。
【請求項４】
上記操作キー板に上記蓋板に対向して一体に突出形成される突片部を上記蓋板の裏面に略９０°屈曲させて当接し、上記蓋板を閉塞方向に付勢するようにしたことを特徴とする請求項１に記載の再生装置。
【請求項５】
上記操作キー板はゴム板により形成したことを特徴とする請求項１に記載の再生装置。
【発明の詳細な説明】
【０００１】
【発明の属する技術分野】
本発明は、カートリッジに収納されたディスク等の記録媒体を再生する再生装置に関する。
【０００２】
【従来の技術】
この種の再生装置としてディスク装置は、ディスクを再生するには、ディスクカートリッジを装填、即ちディスクカートリッジのローディング動作においてシャッタを開放し、開口部に表出されるディスクをその中心部においてターンテーブルに対してチャッキングするように構成されている。
【０００３】
このようなディスク装置において、ディスクカートリッジのシャッタを開放しながらローディングを行う従来のディスクカートリッジのローディング機構を図１１及び図１２に示す。
【０００４】
このローディング機構１は、スピンドルモータ２とターンテーブル３から成るディスク回転機構４が取付けられたメインシャーシ５と、ディスクカートリッジ６を挿抜可能に保持するカートリッジホルダ７と、メインシャーシ５上を前後方向に摺動し、カートリッジホルダ７をメインシャーシ５、即ち、ターンテーブル３に対して昇降操作するスライダ８と、ディスククランパ９をカートリッジホルダ７の上面側のクランパ挿入窓７ａに対して内外に進退させるようにスライダ８により昇降操作されるクランパ支持プレート１０とを備えている。
【０００５】
そして、このローディング機構１のカートリッジホルダ７には、ディスクカートリッジ６の収納ディスクＤの中心部から外周方向の一部分を表出する開口部６ａを開閉するシャッタ１１を開閉操作するシャッタ開閉機構１２が取付けられている。このシャッタ開閉機構１２は、カートリッジホルダ７の後半部、即ち、ターンテーブル３とディスククランパ９が対向するチャッキング部の後方側に位置して先端に係合突子１３ａを取付けたシャッタ開閉アーム１３を、その基端において前後方向に回転可能に軸支持すると共にばね部材１４により常時前方へ回転付勢して構成されている。
【０００６】
このように構成されるローディング機構１は匣体１５に収納保持される。この匣体１５には図１３及び図１４に示すようにディスクカートリッジ６をカートリッジホルダ７に対して挿抜する口部１５ａを形成してあり、この口部１５ａに軸１６ａ，１６ｂにより軸支された蓋板１７を一方の軸１６ａに巻装したねじりコイルばね１８により閉塞方向の付勢力を付与して、ディスクカートリッジ６が挿入されていないときは閉じられて外部の塵埃等の侵入を防止するようになされている。
【０００７】
この匣体１５に収納保持されるローディング機構１のカートリッジホルダ７は、ディスクカートリッジ６の挿入前の状態では下面側がターンテーブル３のセンタリング部３ａとほぼ同一面上に位置するようにメインシャーシ５に対して上昇位置に、また、クランパ支持プレート１０は、ディスククランパ９がカートリッジホルダ７のクランパ挿入窓７ａから内側へ挿入されない上昇位置にそれぞれスライダ８により保持されている。
【０００８】
そこで、カートリッジホルダ７にディスクカートリッジ６を匣体１５の口部１５ａから蓋板１７を押開き挿入すると、ディスクカートリッジ６はシャッタ１１が閉じたままの状態でターンテーブル３とディスククランパ９が対向するチャッキング部に至り、さらにディスクカートリッジ６を挿入させてチャッキング部を通過させるとシャッタ開閉機構１２のシャッタ開閉アーム１３の係合突子１３ａがシャッタ１１の係合部に係合し、この状態でディスクカートリッジ６を押圧してさらに挿入するとシャッタ開閉アーム１３がばね部材１４の付勢力に抗して後方へ回転される。このシャッタ開閉アーム１３の後方回転に伴いシャッタ１１が開かれ、ディスクカートリッジ６がカートリッジホルダ７に最終端まで挿入された状態でシャッタ開閉アーム１３も最後部まで回転されてこれによりシャッタ１１は全開され、収納ディスクＤの中心部から外周方向の一部分が開口部６ａから表出される。
【０００９】
このようにして、ディスクカートリッジ６がカートリッジホルダ７に最終端まで挿入され、シャッタ１１が全開し、収納ディスクＤの中心部から外周方向の一部分が表出された状態で、カートリッジホルダ７全体がスライダ８の摺動動作により垂直に下方に移動してディスクＤが中心部においてターンテーブル３上に載置され、その中心孔がセンタリング部３ａに嵌合されると共に、クランパ支持プレート１０も下降されてクランパ９がカートリッジホルダ７のクランパ挿入窓７ａから内部に挿入されてディスクＤの中心部にターンテーブル３と対向して圧接され、ターンテーブル３のセンタリング部３ａに取付けられたマグネットに吸着されてターンテーブル３と一体に回転し得るようになってローディングが終了する。この状態でディスクＤは、ディスクカートリッジ６の内面から離れた状態でスピンドルモータ２の回転駆動により回転されて、メインシャーシ５にディスクＤの半径方向に移動可能に取付けられた図示しないピックアップ装置により記録情報信号の読み取りが行われる。
【００１０】
【発明が解決しようとする課題】
ところで、このように構成されるディスク装置における匣体１５はディスクカートリッジを挿抜する口部１５ａに軸１６ａ，１６ｂにより軸支される蓋板１７は一方の軸１６ａに巻装したねじりコイルばね１８により口部１５ａを閉塞する方向に付勢するように構成されているが、ねじりコイルばね１８等を用いるため部品点数が多く、また、このねじりコイルばね１８は蓋板１７が完全に閉塞した状態でも付勢力が加わるようにするため、組立時にねじれを加えた状態で取付ける必要があり、このため組立作業に手数を要することになって、作業性が悪く、コスト高になるという問題があった。
【００１１】
また、ねじりコイルばね１８は蓋板１７の一側部の軸１６ａのみに巻装してあるため蓋板１７には一側端部に片寄って閉塞方向の付勢力が作用することになるので蓋板１７の開閉が不安定になり易くなる不具合もあった。
【００１２】
本発明は、かかる点に鑑みてなされたもので、カートリッジのローディング機構を薄型化することができ、さらに機構の簡素化により信頼性の向上、コストの低減化を可能にした再生装置を提供することを目的とする。
【００１３】
【課題を解決するための手段】
上記目的を達成するために本発明による再生装置は、記録媒体を収納したカートリッジを挿抜可能に保持するカートリッジホルダと、弾性板により形成されキースイッチを操作する操作キー板と、カートリッジホルダに対してカートリッジを挿抜する本体のカートリッジ挿入口を開閉する蓋板とを具備し、操作キー板に蓋板に対向して突片部を一体に突出形成し、この突片部を蓋板に当接させて蓋板の閉塞方向に付勢するように構成したものである。
【００１４】
このように構成することにより蓋板は、ねじりコイルばね等の別体の付勢部材を備えることなく弾性板により形成される操作キー板と一体の突片部が保有する弾性力によりカートリッジ挿入口の閉塞方向に付勢されて常時閉塞、即ち、ディスクカートリッジが挿入されていない状態で閉塞される。また、この蓋板の付勢のためにねじりコイルばね等の別部材を備えないことにより部品点数が少なく組立も簡単化される。
【００１５】
【発明の実施の形態】
以下、本発明を、日本語辞書情報や英和辞書情報等の情報を記録形成してなる光ディスクおよび音楽信号等を記録形成してなる光ディスク単体を選択的に記録媒体とし、光ディスクから読み出し再生された情報を可視情報として表示部に表示する光ディスクの再生機能および表示機能を備えたディスク装置としてのディスクプレーヤに適用した実施の形態例を説明する。
【００１６】
先ず、図１及び図２を参照して本発明をディスク再生装置としてのディスクプレーヤに適用した例について説明する。
【００１７】
ディスクプレーヤ２０は、本体部２１と蓋部２２より構成されており、本体部２１は後述する本発明による再生装置が内蔵される方形箱状のキャビネット２３と、方形箱状の操作パネル２４とを合体して構成され、この操作パネル２４には、ディスク装置に装填される光ディスクの情報信号の読み出しを制御し、かつ光ディスクからの所望する情報を読み出し再生する多数の操作キー２５を配列してなる操作部が設けられている。
【００１８】
この操作部は、図３に示すように押圧操作によって弾性変位する多数の操作キー２５を一枚のゴム板等の弾性板に一体に形成してなる操作キー板２６と、操作キー２５の押圧操作によってＯＮ／ＯＦＦするスイッチ部が形成されたプリント配線板からなるキースイッチ取付板２７とによって構成されている。このうち、操作キー板２６は、操作パネル２４の内側に配設されて、各操作キー２５が挿入パネル２４の表面部２４ａに穿設してなる透孔２４ａ１  に挿通されて表面側に所要高さ突出されている。また、キースイッチ取付板２７は、操作キー板２６の下に重ね合うようにして操作パネル２４の表面部２４ａの内側に配設されている。この操作キー板２６とキースイッチ取付板２７は操作パネル２４の内側に配設されている。
【００１９】
この操作パネル２４の一側面部２４ｂには、キャビネット２３に内蔵されるディスク装置に後述するディスクカートリッジ２００を装填するためのカートリッジ挿入口２８が逆凹状に形成され、このカートリッジ挿入口２８には両端に軸２９ａ，２９ｂを突設した蓋板２９が内側へ回動するように軸着されてディスクカートリッジが挿入されていない状態ではカートリッジ挿入口２８を内側から閉塞するようにしてなっている。
【００２０】
そして、本例においては、この蓋板２９をカートリッジ挿入口２８の閉塞を閉塞方向に付勢する付勢手段として、前述した操作部のゴム板等の弾性板により形成される操作キー板２６の一側縁部に突片部２６ａを一体に突出形成し、この突片部２６ａを図３に示すように蓋板２９の閉塞状態においてその裏面に略９０°屈曲した状態で当接させて、この突片部２６ａにより蓋板２９が常時閉塞する方向の付勢力を得るようにしてある。
【００２１】
このように、弾性板により形成される操作キー板２６に一体に突片部２６ａを突出形成して、この突片部２６ａを蓋板２９を閉塞方向に付勢する付勢部材としたことにより、操作キー板２６を組付けると同時に蓋板２９の付勢部材が組付けられることになって部品点数の削減と組立て作業性の簡単化が可能になる。
【００２２】
また、本例の操作キー板２６に突出形成される突片部２６ａは蓋板２９に対して一方の軸支部側に限ることなく任意の位置に対応して形成できるので、蓋板２９の中央部に対応して形成することにより両方の軸支部に対して均等の付勢力を付与することができ、蓋板２９の開閉動作が一層円滑に行えることになる。
【００２３】
また、蓋部２２は光ディスクから読み出し再生された情報を画像情報として表示する表示パネルの機能をもつものであり、内面には表示部３０が設けられている。この表示部３０は、例えば液晶表示素子（ＬＣＤ）からなる表示パネル３０によって構成されている。
【００２４】
次に、以上のように構成されるディスクプレーヤに内蔵されるディスク駆動装置の一例を図４〜図１０を参照して説明する。
【００２５】
図４において３１はディスク駆動装置の全体を示し、前述したディスクプレーヤ２０の本体部２１のキャビネット２３と操作パネル２４との間に防振部材２３を介してフレート状に取付けられるメインシャーシ３３と、このメインシャーシ３３に、基板面３３１に対して接離可能に支持されるカートリッジホルダ３４と、メインシャーシ３３の基板面３３１上に前後方向に摺動可能に支持され、この摺動動作に伴いカートリッジホルダ３４をメインシャーシ３３の基板面３３１に対して接離動作されるスライダ３５と、ディスク回転駆動機構３６と光学ピックアップ装置３７とディスクランパ３８とディスクカートリッジ２００のシャッタ２０７を開放するシャッタ開放機構３９とから構成されている。
【００２６】
メインシャーシ３３は、図４及び図６に示すように、基板面部３３１の後縁部から両側縁部にかけて立上げ面部３３２，３３３，３３４が形成されている。この基板面部３３１のほぼ中央部にはディスク回転駆動機構３６と光学ピックアップ装置３７が取付けられており、両側部の前後部には前後方向にスライダ３５の案内溝３３１ａガ穿設され、この両側部の後半部側にディスクカートリッジ２００の位置決め係止突子３３１ｂが突設されている。
【００２７】
このメインシャーシ３３の基板面部３３１に取付けられるディスク回転駆動機構３６は、スピンドルモータ３６１とターンテーブル３６２とから構成されて、スピンドルモータ３６１はスピンドル３６１ａを基板面３３１の上面側に突出させて下面側に取付けられ、基部板面部３３１の上面側に突出されるスピンドルモータ３５１ａの先端にターンテーブル３６２が固定されており、このターンテーブル３６２の中心部には、ディスクの中心孔に嵌合しテーブル回転中心とディスク中心を一致させる磁性材からなるセンタリング部３６２ａが設けられている。
【００２８】
また、基板面部３３１に取付けられる光学ピックアップ装置３７は、光学ピックアップ３７１が、基板面部３３１の中央後半部に形成された開口部３３１ｃに下面側から臨み、この光学ピックアップ３７１を基板面部３３１の下面側に取付けられるピックアップ送りモータ３７２によって回転駆動する送りねじ３７３と開口部３３１ｃの一側縁部に形成された摺動案内レール３７４により支持して構成されている。この光学ピックアップ装置３７の光学ピックアップ３７１は、ピックアップ送りモータ３７２の駆動による送りねじ３７３の回転によって開口部３３１ｃ内をターンテーブル３６２上のディスクに対し径方向に直線移動する。
【００２９】
また、このメインシャーシ３３の基板面部３３１の一側後部の下面側には、スライダ３５をロックするロック部材４０が備えられている。このロック部材４０は略Ｌ字状に形成されて屈曲部に係合ピン４０１が立設されており、一端において基板面３３１の下面側に軸支し、係合ピン４０１を基板面３３１に軸支部を中心に形成された円弧状の案内孔３３１ｄから上面側に突出され、トーションばね４１により常時前方へ回転付勢させている。
【００３０】
一方、このメインシャーシ３３の両側立上げ面部３３３，３３４には前後部に上下方向、即ち、基板面部３３１に対して垂直方向に、カートリッジホルダ３４の案内溝３３３ａ，３３４ａを形成してあり、また後側立上げ面部３３２の後面両側部と基板面部３３１の前面両側部には防振部材３２の取付け用アーム部３３２ａと３３１ｅを突出形成して防振部材３２を嵌着している。
【００３１】
カートリッジホルダ３４は、メインシャーシ３３の基板面部３３１よりやや幅狭の天板面部３４１の両側に側面部３４２と３４３が対向して立上げ形成され、この両側面部３４２及び３４３の前半部の下縁には内方へ水平、即ち、天板面部３４１と平行に保持面部３４４及び３４５が突出形成されて、この天板面部３４１、両側面部３４２，３４３及び保持面部３４４，３４５により、ディスクカートリッジを挿抜自在に保持する保持部３４０が形成されている。なお、両側面部３４２，３４３及び保持面部３４４，３４５の前縁はそれぞれ前方へ延長して外方へ屈曲し案内部３４２ａ，３４３ａ及び３４４ａ，３４５ａが形成されている。
【００３２】
また、このカートリッジホルダ３４の両側面部３４２，３４３の前後部には前述したメインシャーシ３３の両側面部３３３，３３４の案内溝３３３ａ，３３４ａに係合される係合片３４２ｂ，３４３ｂが切起し状に形成され、この係合片３４２ｂ，３４３ｂの前縁は上方に、後縁は下方に折曲して係合接触面積を拡大するようにしてある。
【００３３】
そして、このカートリッジホルダ３４の天板面部３４１には前述したターンテーブル３６２と対応してチャッキング部を構成するディスククランパ３８が搖動及び上下動可能に支持されており、このディスククランパ３８のディスク当接面３８１側にはターンテーブル３６２の磁性材からなるセンタリング部３６２ａに磁性吸着するマグネットが取付けられている。
【００３４】
また、このカートリッジホルダ３４の天板面部３４１にはシャッタ開放機構３９が備えられている。このシャッタ開放機構３９は、天板面部３４１上を一側部において前端部か後端部にかけて回動するシャッタ開放アーム３９１とシャッタ開放保持片３９２とから構成されている。この開放アーム３９１は平面視略Ｌ字状に形成して、先端部を下側に略Ｕ字状に折曲して係合ローラ３９３を取付けて構成し、この開放アーム３９１を天板面部３４１に、基端部においてディスククランパ３８の支持部近傍に位置して軸環３９４により軸支すると共に係合ローラ３９３を含む先端折曲部を、この軸支部を中心に天板面部３４１の一側部に前端部から後端部にかけて形成した円弧状開溝３４１ａに挿入して天板面部３４１の下面側、即ち、ディスクカートリッジの保持部３４０内に望ませて取付けており、トーションばね３９５により常時前方へ回動付勢されている。またシャッタ開放保持片３９２は天板面部３４１に、ディスククランパ４２の支持部近傍の円弧状開溝３４１ａに対向する側において下側へ切起し状に形成されている。
【００３５】
スライダ３５は、メインシャーシ３４の両側面部３４２，３４３の間隔とほぼ同幅で前面部３５１と、この前面部３５１に連続する両側面部３５２，３５３とから形成され、前面部３５１には前縁から下方へ折曲して押圧面部３５１ａが形成されている。また、両側面部３５２，３５３の外側縁部の前後に、カートリッジホルダ３４の係合片３４２ａ，３４３ａが係合される案内カム溝を前方へ高く傾斜して形成した案内面部３５２ａ，３５３ａが立上げ形成されており、両側面部３５２，３５３にはメインシャーシ３４の基板面部３３１に対して前後方向に摺動自在に係合される係合片３５２ｂ，３５３ｂが下方へ折曲形成され、一側面部３５２の後端には前述したロック部材４０に係合される係止片３５２ｃが下方へ折曲して形成されている。
【００３６】
そして、このスライダ３５は常時メインシャーシ３４に対して引張りコイルスプリング（図示せず）により前方へ弾性付勢され、この付勢力に抗して後方へ摺動させた状態でロック部材４０により係止片３５２ｃを介してロックされる。
【００３７】
また、このスライダ３５の押圧面部３５１ａにはディスクプレーヤ２０の本体部２１のキャビネット２３に備えた排出釦４２に対応させる。この排出釦４２は一体に形成された弾性片４２１により弾性復帰され、この弾性片４２１のキャビネット２３に対する支点位置は変位するようになっており、これにより排出釦４２は直線方向に摺動されることになる。
【００３８】
以上のように構成されるディスク駆動装置３１において、カートリッジホルダ３４の保持部３４０に対しディスクカートリッジ２００の挿入前の状態では、カートリッジホルダ３４は、スライダ３５がメインシャーシ３３に対して後退位置でロック部材４０によりロックされていることにより、係合片３４２ａ，３４３ａに対してスライダ３５の案内面部３５２ａ，３５３ａの案内カム溝の高位部が摺接し、これによりメインシャーシ３３の案内溝３３３ａ，３３４ａに沿って押上げられた位置にあり、この状態でターンテーブル３６２のセンタリング部３６２ａとディスククランパ３８のディスク当接面３８１との間隔をディスクカートリッジ２００の中央前側部２００ａの厚みよりやや大なるように設定してある。そしてロック部材４０の係合ピン４０１は保持部３４０内に位置している。この状態でカートリッジホルダ３４に備えたシャッタ開放機構３９のシャッタ開放アーム３９１は、トーションばね３９５により前方へ回動付勢されて係合ローラ３９３を含む先端折曲部が保持部３４０の前口部に位置されている。
【００３９】
そこで、カートリッジホルダ３４に対するディスクカートリッジ２００の挿入において、その保持部３４０の前口部にディスクカートリッジ２００の前面側を対応させるとシャッタ２０７の前面の係合凹部２０８がシャッタ開放アーム３９１の係合ローラ３９３に係合される。この状態でディスクカートリッジ２００を押込むとシャッタ開放アーム３９１がトーションばね３９５の付勢力に抗して回動され、この回動に伴いシャッタ２０７の開放が始まる。ディスクカートリッジ２００がさらに押込まれシャッタ開放アーム３９１が図８に示す中間位置まで回動されるとシャッタ２０７は開放を終了し、この位置からシャッタ２０７はシャッタ開放保持片３９２により完全開放状態が維持され、これにより、シャッタ２０７はターンテーブル３６２とディスククランパ３８から逃げた状態になる。
【００４０】
このようにディスクカートリッジ２００はシャッタ２０７が開放した状態でターンテーブル３６２とディスククランパ３８との間に挿入されるので、ターンテーブル３６２のセンタリング部３６２ａとディスククランパ３８のディスク当接面３８１との間隔ｄは前述したようにディスクカートリッジ２００の薄肉部となっている開口窓２０５の前側部２００ａの厚みｅよりやや大であればよい。
【００４１】
さらに、ディスクカートリッジ２００の挿入が続けられることにより、シャッタ開放アーム３９１は円弧開溝３４１ａに沿って移動するため係合ローラ３９３がシャッタ２０７の係合凹部２０８から外れるが、シャッタ２０７はシャッタ開放保持片３９２によって保持されているため閉じることはない。
【００４２】
このようにして、ディスクカートリッジ２００が完全に挿入された時点でスライダ３５はロック部材４０によるロックが解除されて前方へ摺動付勢され、これによりカートリッジホルダ３４全体が垂直に下方に移動してローディングが終了し、ディスクＤがターンテーブル３６２とディスククランパ３８によりチャッキングされる。
【００４３】
そこで、ディスク回転駆動機構３６と光学ピックアップ装置３７の作動によりディスクＤの再生が行われる。
【００４４】
以上のように、本発明の実施例によれば、ディスクカートリッジ２００が、チャッキング部、即ち、ターンテーブル３６２とディスククランパ３８との間を通過する前にシャッタ２０７が開放されるのでディスク装置３１のローディング部を薄型に形成できる。
【００４５】
なお、ディスクカートリッジ２００の開口窓２０５の前側部２００ａの厚さは全体の厚さの３分の１以下である。
【００４６】
また、ディスククランパ３８はカートリッジホルダ３４に直接取付けることができるので、従来のクランパ支持プレートのような複雑な機構を省略できてコストダウンや信頼性の向上が大きく寄与できる。
【００４７】
以上、本発明の一例を説明したが本発明はこの実施の形態例に退定されるものではなく本発明の趣旨を逸脱しない範囲で変更できるものである。
【００４８】
例えば、本発明は光ディスクのディスク装置に限ることなく、フロッピーディスク等のディスク装置にも適用できるもので、この場合は各部材の寸法、形状を使用ディスクに応じて変更することになる。
【００４９】
【発明の効果】
以上のように本発明による再生装置は、本体のカートリッジが挿抜されるカートリッジ挿入口を開閉する蓋板を弾性板により形成される操作キー板に一体に形成され弾性を保有する突片部によりカートリッジ挿入口の閉塞方向に付勢するように構成したので、ねじりコイルばね等の別体の付勢部材を備える必要がないため、構成部品点数を削減できると共に組立作業が簡単化されてコストの低減化を図ることができる。
【００５０】
また、蓋板には操作キー板の突片部が面接触状に当接して押圧することにより、安定した付勢力が得られると共に擦過音等が発生することなく常に円滑に、かつ確実に閉塞動作され信頼性も向上される等の効果を有する。
【図面の簡単な説明】
【図１】本発明によるディスク装置としての一例のディスクプレーヤの斜視図である。
【図２】図１に示すディスクプレーヤの一部分の分解斜視図である。
【図３】図１に示すディスクプレーヤの一部分の内部側斜視図である。
【図４】本発明に適用するディスク駆動装置の一例の一部截断した斜視図である。
【図５】図４に示すディスク駆動装置の拡大中央横断面図である。
【図６】図４に示すディスク駆動装置のカートリッジホルダを取外した状態の平面図である。
【図７】図４に示すディスク駆動装置においてディスクカートリッジの挿入動作を説明する一部截断した平面図である。
【図８】図４に示すディスク駆動装置においてディスクカートリッジの挿入動作を説明する平面図である。
【図９】ディスクカートリッジのシャッタを開放した状態の表面側斜視図である。
【図１０】ディスクカートリッジのシャッタを開放した状態の裏面側斜視図である。
【図１１】従来のディスク装置の一部截断した平面図である。
【図１２】図１１に示すディスク装置の拡大中央横断面図である。
【図１３】従来のディスクプレーヤにおけるディスクカートリッジの挿入部の断面図である。
【図１４】図１３に示すディスクカートリッジの挿入部の内部側斜視図である。
【符号の説明】
２１  本体部
２４  操作パネル
２６  操作キー板
２６ａ  突片部
２８  カートリッジ挿入口
２９  蓋板
２９ａ，２９ｂ  軸
２００  ディスクカートリッジ
【図１】
0003586950.tif 000002
【図２】
0003586950.tif 000003
【図３】
0003586950.tif 000004
【図４】
0003586950.tif 000005
【図５】
0003586950.tif 000006
【図６】
0003586950.tif 000007
【図７】
0003586950.tif 000008
【図８】
0003586950.tif 000009
【図９】
0003586950.tif 000010
【図１０】
0003586950.tif 000011
【図１１】
0003586950.tif 000012
【図１２】
0003586950.tif 000013
【図１３】
0003586950.tif 000014
【図１４】
0003586950.tif 000015